(57)【要約】【課題】手ぶれ検出機能を有していないデジタルカメラで撮影された画像データであっても、印刷するときに利用者に手ぶれの警告を発することを可能とすることで、利便性の高いプリンタ装置およびプリンタ装置の画像品質判定方法を提供することを目的とする。【解決手段】印刷する画像データと、画像データを撮影したとき状態を示す画像情報とを含む画像ファイルを入力する画像ファイル入力部４と、画像データの明度を、入力した画像情報である絞り情報、シャッタースピード情報、および感度情報から算出する画像解析部６と、画像データの明度が所定明度より暗いか否かを判定する画像判定部７とを備え、画像判定部７が、画像データの明度が暗いと判定すると表示部３に利用者に対する警告を発し、利用者が印刷指示したときに、画像印刷部９から画像データを印刷する。【選択図】図１
2007083475.tif 000002
【特許請求の範囲】
【請求項１】
印刷する画像データと前記画像データを撮影したときの状態を示す画像情報とを含む画像ファイルを入力する画像ファイル入力部と、
前記画像情報に基づいて前記画像データの明度を算出する画像解析部と、
前記画像データの明度が所定明度より暗いか否かを判定する画像判定部とを備えたことを特徴とするプリンタ装置。
【請求項２】
前記画像解析部は、前記画像情報として、絞り情報と、シャッター時間情報と、感度情報とのいずれか一つ、またはその組み合わせ、または全部に基づいて前記画像データの明度を算出することを特徴する請求項１記載のプリンタ装置。
【請求項３】
前記画像判定部が前記画像データの明度が所定明度より暗いと判定したときに、前記画像データのノイズを除去する補正を行う画像補正部を備えたことを特徴とする請求項１または２記載のプリンタ装置。
【請求項４】
前記画像補正部は、前記画像データのノイズを除去する補正を、メディアンフィルタまたは加重平均フィルタにより行うことを特徴とする請求項３記載のプリンタ装置。
【請求項５】
前記画像判定部が前記画像データの明度が所定明度より暗いと判定したときに、前記画像データの輪郭を強調する補正を行う画像補正部を備えたことを特徴とする請求項１または２記載のプリンタ装置。
【請求項６】
前記画像補正部は、前記画像データの輪郭の強調する補正を、加重平均フィルタにより行うことを特徴とする請求項５記載のプリンタ装置。
【請求項７】
印刷する画像データと前記画像データを撮影したときの状態を示す画像情報とを含む画像ファイルを入力し、
前記画像情報に基づいて前記画像データの明度を算出し、
前記画像データの明度が所定明度より暗いか否かを判定することを特徴とするプリンタ装置の画像品質判定方法。
【請求項８】
前記画像情報として、絞り情報と、シャッター時間情報と、感度情報とのいずれか一つ、またはその組み合わせ、または全部に基づいて前記画像データの明度を算出することを特徴する請求項７記載のプリンタ装置の画像品質判定方法。
【請求項９】
前記画像データの明度が所定明度より暗いと判定したときに、前記画像データのノイズを除去する補正を行うことを特徴とする請求項７または８記載のプリンタ装置の画像品質判定方法。
【請求項１０】
前記画像データのノイズを除去する補正を、メディアンフィルタまたは加重平均フィルタにより行うことを特徴とする請求項９記載のプリンタ装置の画像品質判定方法。
【請求項１１】
前記画像データの明度が所定明度より暗いと判定したときに、前記画像データの輪郭を強調する補正を行うことを特徴とする請求項７または８記載のプリンタ装置の画像品質判定方法。
【請求項１２】
前記画像データの輪郭を強調する補正を、加重平均フィルタにより行うことを特徴とする請求項１１記載のプリンタ装置の画像品質判定方法。
【発明の詳細な説明】
【技術分野】
【０００１】
本発明は、デジタルカメラで撮影された画像データを印刷するプリンタ装置およびプリンタ装置の画像品質判定方法に関する。
【背景技術】
【０００２】
銀塩カメラに代わりデジタルカメラで撮影することが一般的になってきた。デジタルカメラは、撮影したときにシャッターチャンスを逃したことが判ると画像データを消去したり、大容量のメモリカードを搭載すれば何百枚と撮影したりすることが容易にできるので、撮影の失敗を気にせずに手軽に楽しむことができる。
【０００３】
そして、デジタルカメラで撮影すると、デジタルカメラをプリンタ装置に接続したり、撮影した画像データを格納したメモリカードを取り出してプリンタ装置に装着したりして、撮影した画像データをプリンタ装置へ出力して印刷することで、フィルムのようにわざわざ、専門の店舗へ現像に出すこともなく、紙に画像データが印刷することができるので、益々普及していくものと思われる。
【０００４】
しかし、デジタルカメラは、小型化、軽量化が進み手軽に扱える反面、手ぶれを起こしやすく、またデジタルカメラやプリンタ装置は、表示画面の表示面積が小さく、撮影した画像データを見ても、それが手ぶれを起こしているものなのか、判断が付きにくい。
【０００５】
このような手ぶれ等のために良好な撮影が行われなかったときに、良好な画像が出力されるか否かが利用者側で判断できるように管理情報を提示するプリントシステムが（特許文献１）に記載されている。
【特許文献１】特開２００２−１１２１０１号公報
【発明の開示】
【発明が解決しようとする課題】
【０００６】
（特許文献１）に記載のプリントシステムは、良好な画像が出力されるか否かを判断できるように管理情報を提示することで、印刷する前に事前に利用者が、手ぶれの発生があったか否かを判断することができるので、高価なプリント媒体やインクを無駄に消費することが防止できるという利点がある。しかし、この（特許文献１）に記載のプリントシステムでは、管理情報を、静止画の撮影処理中に、手ぶれに起因した異常な運動があったか否かをデジタルカメラに備えたモーションセンサの検出内容に基づいて作成しているため、そのような管理情報を作成しないデジタルカメラでは手ぶれが発生しているか否かがプリンタ装置側で判断ができない。
【０００７】
そのような管理情報を撮影するごとに画像データとともに作成してプリンタ装置へ提供するデジタルカメラでなくても、撮影した画像データが手ぶれの状態となっているか否かがプリンタ装置側で検出できれば、利用者にとっては非常に利便性が高い。
【０００８】
そこで本発明の目的は、手ぶれ検出機能を有していないデジタルカメラで撮影された画像データであっても、印刷するときに利用者に手ぶれの警告を発することを可能とすることで、利便性の高いプリンタ装置およびプリンタ装置の画像品質判定方法を提供する。
【課題を解決するための手段】
【０００９】
本発明は、印刷する画像データと画像データを撮影したときの状態を示す画像情報とを含む画像ファイルを入力し、画像情報に基づいて画像データの明度を算出して、画像データの明度が所定明度より暗いか否かを判定することを特徴とする。
【発明の効果】
【００１０】
本発明は、画像データの明度を画像ファイルに含まれる画像情報に基づいて算出することで、画像データが手ぶれを起こしている状態なのか否かを判断しているので、手ぶれ検出機能を有していないデジタルカメラで撮影された画像データであっても、印刷するときに利用者に手ぶれの警告を発することを可能とすることで、利便性の高いプリンタ装置とすることができる。
【発明を実施するための最良の形態】
【００１１】
本発明の請求項１の発明は、印刷する画像データと画像データを撮影したときの状態を示す画像情報とを含む画像ファイルを入力する画像ファイル入力部と、画像情報に基づいて画像データの明度を算出する画像解析部と、画像データの明度が所定明度より暗いか否かを判定する画像判定部とを備えたことを特徴としたものである。
【００１２】
デジタルカメラは、被写体を撮影してデジタルデータである画像データを作成することの他に、画像データを撮影したときの状態を示す画像情報を作成して、画像ファイルとする。その画像ファイルを画像ファイル入力部から入力し、画像解析部がその画像情報を解析する。画像解析部は、画像情報から画像データの明度を算出する機能を備えている。明度は、その画像データが明るい状況の下で撮影されたのか、暗い状況のもとで撮影されたのかを示すものである。従って、画像解析部が算出した画像データの明度に基づいて画像判定部が所定明度より暗いと判定した場合には、利用者が撮影したときに手ぶれを発生しやすい状況であったと判断できる。つまり画像判定部により判定した結果に基づいて、印刷を中止したり利用者に警告したりすれば、手ぶれが発生した可能性の高い画像データを印刷せずに無駄な紙媒体や無駄なインクを使用することが防止できる。
【００１３】
本発明の請求項２の発明は、画像解析部は、画像情報として、絞り情報と、シャッター時間情報と、感度情報とのいずれか一つ、またはその組み合わせ、または全部に基づいて画像データの明度を算出することを特徴したものである。
【００１４】
画像ファイルは、画像データの他に、撮影したときの状況を示す画像情報として、絞り情報や、シャッタースピード情報や、感度情報が含まれている。この絞り情報や、シャッタースピード情報や、感度情報に基づいて、画像データの明度を算出することで、容易に手ぶれが発生している可能性の高い画像データか否かを判断することができる。
【００１５】
本発明の請求項３の発明は、画像判定部が画像データの明度が所定明度より暗いと判定したときに、画像データのノイズを除去する補正を行う画像補正部を備えたことを特徴としたものである。
【００１６】
画像データの明度が所定明度より暗いと判断された場合には、その画像データに点のように現れるノイズが含まれている可能性が高い。従って、手ぶれが発生している可能性が高い画像データでも利用者の要望により印刷する場合には、画像データからノイズを除去する補正を行うのが望ましい。従って、画像補正部が、画像判定部により判定された結果に基づいて、画像データからノイズを除去する補正を行うことで、改善された品質で画像データを印刷することができる。
【００１７】
本発明の請求項４の発明は、画像補正部は、画像データのノイズを除去する補正をメディアンフィルタまたは加重平均フィルタにより行うことを特徴としたものである。
【００１８】
画像補正部が行うノイズ除去の補正を、メディアンフィルタまたは加重平均フィルタにより行うことで、容易に画像データの補正が行うことができ、画像データの品質向上を図ることが可能である。
【００１９】
本発明の請求項５の発明は、画像判定部が画像データの明度が所定明度より暗いと判定したときに、画像データの輪郭を強調する補正を行う画像補正部を備えたことを特徴としたものである。
【００２０】
手ぶれが発生した画像データは、被写体の輪郭がぼやけて撮影されている。従って、画像補正部により、被写体の輪郭を強調する補正を行うことで、ある程度は手ぶれの状態が改善された画像データとすることができる。
【００２１】
本発明の請求項６の発明は、画像補正部は、画像データの輪郭の強調を加重平均フィルタにより行うことを特徴としたものである。
【００２２】
画像補正部が行う輪郭の強調を、加重平均フィルタにより行うことで、容易に画像データの補正が行うことができ、画像データの品質向上を図ることが可能である。
【００２３】
本発明の請求項７の発明は、印刷する画像データと画像データを撮影したときの状態を示す画像情報とを含む画像ファイルを入力し、画像情報に基づいて画像データの明度を算出し、画像データの明度が所定明度より暗いか否かを判定することを特徴したものである。
【００２４】
デジタルカメラは、被写体を撮影したデジタルデータである画像データを作成することの他に、画像データを撮影したときの状態を示す画像情報を作成して、画像ファイルとする。その画像ファイルを入力して画像情報を解析して、画像データの明度を算出する。明度は、その画像データが明るい状況の下で撮影されたのか、暗い状況のもとで撮影されたのかを示すものである。
【００２５】
つまり、算出した画像データの明度に基づいて所定明度より暗いと判定した場合には、利用者が撮影したときに手ぶれを発生しやすい状況であったと判断でき、この判定した結果に基づいて、印刷を中止したり利用者に警告したりすれば、手ぶれが発生した可能性の高い画像データを印刷せずに無駄な紙媒体や無駄なインクを使用することが防止できる。
【００２６】
本発明の請求項８の発明は、画像情報として、絞り情報と、シャッター時間情報と、感度情報とに基づいて画像データの明度を算出することを特徴したものである。
【００２７】
画像ファイルは、画像データの他に、撮影したときの状況を示す画像情報として、絞り情報や、シャッタースピード情報や、感度情報が含まれている。この絞り情報や、シャッタースピード情報や、感度情報に基づいて、画像データの明度を算出することで、容易に手ぶれが発生している可能性の高い画像データか否かを判断することができる。
【００２８】
本願の第９の発明は、画像データの明度が所定明度より暗いと判定したときに、画像データのノイズを除去する補正を行うことを特徴したものである。
【００２９】
画像データの明度が所定明度より暗いと判断された場合には、その画像データに点のように現れるノイズが含まれている可能性が高い。従って、手ぶれが発生している可能性が高い画像データでも利用者の要望により印刷する場合には、画像データからノイズを除去する補正を行うのが望ましく、画像データの明度と所定明度とを比較した結果に基づいて、画像データからノイズを除去する補正を行うことで、改善された品質で画像データを印刷することができる。
【００３０】
本願の第１０の発明は、画像データのノイズを除去する補正を、メディアンフィルタまたは加重平均フィルタにより行うことを特徴としたものである。
【００３１】
ノイズ除去の補正を、メディアンフィルタまたは加重平均フィルタにより行うことで、容易に画像データの補正が行うことができ、画像データの品質向上を図ることが可能である。
【００３２】
本願の第１１の発明は、画像データの明度が所定明度より暗いと判定したときに、画像データの輪郭を強調する補正を行うことを特徴としたものである。
【００３３】
手ぶれが発生した画像データは、被写体の輪郭がぼやけて撮影されている。従って、被写体の輪郭を強調する補正を行うことで、ある程度は手ぶれの状態が改善された画像データとすることができる。
【００３４】
本願の第１２の発明は、画像データの輪郭を強調する補正を、加重平均フィルタにより行うことを特徴としたものである。
【００３５】
輪郭の強調を、加重平均フィルタにより行うことで、容易に画像データの補正が行うことができ、画像データの品質向上を図ることが可能である。
【００３６】
（実施の形態）
本発明の実施の形態に係るプリンタ装置を、図１から図７に基づいて説明する。まずは本発明の実施の形態に係るプリンタ装置の構成を、図１および図２に基づいて説明する。
【００３７】
図１は、本発明の実施の形態に係るプリンタ装置を説明する構成図である。図２は、画像ファイルの内容を説明する図である。
【００３８】
図１に示すように、本実施の形態に係るプリンタ装置１は、操作部２と、表示部３と、画像ファイル入力部４と、メモリ部５と、画像解析部６と、画像判定部７と、画像補正部８と、画像印刷部９とを備えている。
【００３９】
操作部２は、利用者がオンライン・オフラインを切り替えたり、設定情報を入力したりする、いくつかのキーを備えている。
【００４０】
表示部３は、オンラインやオフライン、紙媒体のジャムや、紙媒体不足などの状態を表示したり、印刷する画像データを表示したりするためのもので、例えば液晶表示パネルなどが使用できる。
【００４１】
画像ファイル入力部４は、デジタルカメラ１５と接続して画像ファイルを読み込み、メモリ部５に展開する機能を有している。デジタルカメラ１５と接続するインタフェースとしてはＵＳＢ（Ｕｎｉｖｅｒｓａｌ  Ｓｅｒｉａｌ  Ｂｕｓ）が使用できるが、デジタルカメラ１５と通信可能なインタフェースであれば、他のプロトコルのインタフェースとしてもよい。また、画像ファイル入力部４としては、デジタルカメラ１５が撮影した画像ファイルを格納したメモリカード１６、例えば、ＳＤカードや、コンパクトフラッシュ（登録商標）などを、装着するメモリスロットを備え、画像ファイルを取り込むようにしてもよい。画像ファイルは、一般的にはｊｐｅｇ（Ｊｏｉｎｔ  Ｐｈｏｔｏｇｒａｐｈｉｃ  Ｅｘｐｅｒｔｓ  Ｇｒｏｕｐ）形式を採用しているデジタルカメラ１５が多いが、他の画像ファイル形式でも、デジタルカメラ１５で作成できるものであれば、適宜選択して採用することができる。ここで画像ファイルについて、図２に基づいて説明する。
【００４２】
図２に示すように、画像ファイルは、撮影した被写体のデジタルデータが格納される画像データと、撮影したとき状態を示す画像情報とを含んでいる。画像データは、撮影した被写体をデジタルデータとしたもので、圧縮されたデータである。
【００４３】
画像情報は、手ぶれ補正の確率情報と、絞り情報と、シャッタースピード情報と、感度情報とを含み、その他の情報としては図示していないが、サイズ情報、撮影年月日情報、デジカメ機種情報などがある。
【００４４】
絞り情報と、シャッタースピード情報と、感度情報とは、画像データも含めて、電子情報技術産業協会（ＪＥＩＴＡ）によってＥｘｉｆ（Ｅｘｃｈａｎｇｅａｂｌｅ  Ｉｍａｇｅ  Ｆｉｌｅ  Ｆｏｒｍａｔ）と呼ばれる画像ファイルフォーマットで標準化されているので、デジタルカメラの機種が異なっても、手ぶれ補正の確率情報を除いて画像ファイルに格納されている。
【００４５】
確率情報は、デジタルカメラ１５で撮影したときに、デジタルカメラ１５側で手ぶれ補正を行ったときの確率値である。
【００４６】
絞り情報は、デジタルカメラ１５が被写体を撮影したときの絞りの値を格納したものである。シャッタースピード情報は、デジタルカメラ１５が被写体を撮影したときのシャッタースピード値を格納したものある。感度情報は、デジタルカメラ１５が被写体を撮影したときの感度で、銀塩フィルムの感度（ＩＳＯ）に相当させた値が格納されている。感度情報としては、ＩＳＯ１００の場合は「１００」が、ＩＳＯ４００の場合は「４００」などの感度が格納される。
【００４７】
図１に戻って、メモリ部５は、入力した画像ファイルを一時的に格納したり、作業領域として使用したりする記憶手段である。
【００４８】
画像解析部６は、メモリ部５に展開された画像ファイルに基づいて画像ファイルに含まれる画像データが撮影された状況を解析する機能を備えている。
【００４９】
画像判定部７は、画像解析部６で解析された結果に基づいて、画像データの明度が所定明度より暗いか否かを判定する機能を有している。この所定明度は、予め設定されているものであるが、利用者が表示部３を確認しながら操作部２を操作して所望する明度を設定することも可能である。
【００５０】
画像補正部８は、画像判定部７の判定により、画像データに対して補正を行う機能を有している。
【００５１】
画像印刷部９は、紙媒体に画像データを印刷する機能を有している。画像印刷部９は、インクジェット型、熱転写型、昇華型、ドットインパクト型などが使用できる。
【００５２】
以上のように構成される本発明の実施の形態に係るプリンタ装置の動作を、更に図３から図７に基づいて説明する。まず、本発明の実施の形態に係るプリンタ装置１に好適であるデジタルカメラ１５の動作について図３および図４に基づいて説明する。図３は、デジタルカメラが画像ファイルを生成する際の動作を説明するフローチャートである。図４は、デジタルカメラが行う手ぶれ補正を説明する図である。
【００５３】
このデジタルカメラ１５は、被写体を撮影するときに手ぶれを検出して補正する機能を有している。この手ぶれの補正には、連続した複数の画像データを比較して手ぶれを補正する電子式や、レンズ群の中間に補正用レンズ群およびどの程度デジタルカメラ１５が移動したかを検出するセンサである振動ジャイロを備え、光学的に補正する光学式や、撮像素子移動型補正などがある。
【００５４】
図３に示すように、この手ぶれ補正機能付きのデジタルカメラ１５で被写体を撮影する（Ｓ１０）。撮影した結果、手ぶれが発生しているか否かを判定する（Ｓ２０）。Ｓ２０にて手ぶれが発生してないと判断されると、画像データをメモリカード１６に保存して撮影を終了する。このときに、シャッタースピード情報、絞り情報、感度情報、サイズ情報、撮影年月日情報、機種情報なども画像情報として格納され、画像データとともに画像ファイルとする（Ｓ３０）。
【００５５】
Ｓ２０にて、手ぶれが発生していると判断されると、手ぶれの補正を行う（Ｓ４０）。そして手ぶれ補正の確率情報を画像情報の一部として付与する（Ｓ５０）。ここで、デジタルカメラが行う手ぶれの補正について図４に基づいて詳細に説明する。
【００５６】
撮影するときは、レンズの中心に通常被写体が位置するようにデジタルカメラを構え、デジタルカメラが動くような手ぶれを発生させることなく撮影できれば理想的である。このような状態で撮影された範囲を図４に示す理想撮影範囲Ｓ１とする。
【００５７】
手ぶれとは、撮影するときにデジタルカメラが動くことで、その撮影する範囲が移動する状態である。つまり撮影範囲Ａや撮影範囲Ｂのように理想撮影範囲Ｓ１から撮影する範囲が移動してしまうことである。
【００５８】
手ぶれ補正機能を有するデジタルカメラは、光学式の手ぶれ補正であれば手ぶれ補正用レンズが移動できる範囲が、手ぶれが発生して撮影範囲が移動しても補正可能な範囲となる。
【００５９】
例えば、図４に示すように、撮影範囲Ａは手ぶれ補正可能範囲Ｓ２の内側であるので補正可能であり、撮影範囲Ｂは手ぶれ補正可能範囲Ｓ２の外側なので補正ができない。
【００６０】
しかし、補正可能範囲Ｓ２の内側であっても、急峻にデジタルカメラが移動したり、直線的でなく複雑な移動であったりしたときには補正ができないときがある。
【００６１】
このようなときに、手ぶれの補正ができない可能性があることを示す確率情報をデジタルカメラは画像情報の一部として画像ファイルに付与する。従って、確率情報が０％のときは手ぶれ補正ができたことを意味し、１００％のときは手ぶれの補正が全くできなかったことを意味する。また確率情報が５０％のときは、補正できているかもしれないし、補正できていないかもしれない状態であることを意味している。デジタルカメラは、このような手ぶれ補正の確率情報を画像ファイルに画像情報として付与している。
【００６２】
図３に戻って、Ｓ５０にて手ぶれ補正の確率情報を画像情報として付与した後に、Ｓ３０へ移行して他の画像情報と共に画像データをメモリカード１６に格納して終了する。
【００６３】
次に、本発明の実施の形態に係るプリンタ装置１とデジタルカメラ１５とを接続して画像データを印刷するときの動作を、図５から図７に基づいて説明する。
【００６４】
まずは、デジタルカメラ１５が画像ファイルに画像情報として格納した絞り情報、シャッタースピード情報および感度情報に基づいて手ぶれの警告を発するときの動作を、図５に基づいて説明する。図５は、本発明の実施の形態に係るプリンタ装置が、絞り情報、シャッタースピード情報、および感度情報に基づいて判定するときの動作を説明するフローチャートである。
【００６５】
図５に示すように、まず、画像ファイル入力部４が、ＵＳＢを介してデジタルカメラ１５から画像ファイルを入力してメモリ部５へ画像データおよび画像情報を展開する（Ｓ１００）。そして画像解析部６が、画像情報の絞り情報、シャッタースピード情報および感度情報から画像データの明度を算出する（Ｓ１１０）。
【００６６】
ここで、画像解析部６が、絞り情報、シャッタースピード情報および感度情報から画像データの明度を算出する方法について詳細に説明する。
【００６７】
被写体の明度は、ＥＶ（Ｅｘｐｏｓｕｒｅ  Ｖａｌｕｅ）値と呼ばれ以下の式で表すことができる。
【００６８】
ＥＶ値＝αｌｏｇ2（絞り）＋βｌｏｇ2（シャッタースピード）＋γｌｏｇ2（感度÷１００）
α、βおよびγは、適宜選択される定数で、一例としては、α＝２，β＝−１，γ＝−１とする場合や、α＝２，β＝−１，γ＝０とする場合などがある。γ＝０とした場合には、感度情報は明度の算出には影響せず、絞り情報およびシャッタースピード情報だけで明度を算出することを示している。同様に、α＝０とした場合には、明度の算出に絞り情報を除外し、β＝０とした場合には明度の算出にシャッタースピード情報を除外することを示している。
【００６９】
このようにして画像解析部６が算出したＥＶ値に基づいて画像判定部７が所定明度と比較して、被写体を撮影したときの状況が明るいか暗いかを判断する。つまり暗いと判断された場合には手ぶれが発生しやすい状況で被写体が撮影されたことが想定され、その状況下で撮影された画像データは手ぶれにより利用者が印刷を望んでいるか否かの判断が必要であるので、その判定を行っている（Ｓ１２０）。
【００７０】
ここで所定の明度となる閾値は、０とすることができる。従って、画像判定部７は、ＥＶ値が０未満であれば明度が暗いと判断する。但し、この明度の閾値は、利用者が表示部３を確認しながら操作部２を操作して、画像判定部７に適宜設定することが可能である。
【００７１】
Ｓ１２０での判定で、明度（ＥＶ値）が明るいと判定されたときは、つまり明度が０以上である判断された場合には、Ｓ１３０へ移行し画像印刷部９による印刷を行う。
【００７２】
Ｓ１２０での判定で、明度（ＥＶ値）が暗いと判定されたときは、つまり明度が０未満である判断された場合には、画像判定部７は表示部３に、例えば「手ぶれの可能性あり」などの警告の表示を行う（Ｓ１４０）。そして、操作部２からの指示待ちとなる（Ｓ１５０）。
【００７３】
Ｓ１５０にて、利用者が操作部２を操作して印刷指示を入力するとＳ１３０へ移行して画像データの印刷を行う。また印刷指示でない場合には、画像データを印刷せずにそのまま終了する。
【００７４】
このように、画像情報に基づいて画像データの手ぶれの可能性の有無を判定しているので、手ぶれ検出機能を有していないデジタルカメラ１５で撮影された画像データであっても、印刷するときに利用者に手ぶれの警告を発することを可能とする。
【００７５】
次に、デジタルカメラ１５が画像ファイルに画像情報として格納した手ぶれ補正の確率情報を用いて手ぶれの警告を発するとともに、画像データの補正を行うときの動作を、図６に基づいて説明する。図６は、本発明の実施の形態に係るプリンタ装置が、画像情報に基づいて判定するとともに、画像データの補正を行うときの動作を説明するフローチャートである。
【００７６】
図６に示すように、画像ファイル入力部４が、ＵＳＢを介してデジタルカメラ１５から画像ファイルを入力してメモリ部５へ画像データおよび画像情報を展開する（Ｓ１００）。
【００７７】
そして、画像解析部６が、画像情報の絞り情報、シャッタースピード情報および感度情報から画像データの明度を算出するとともに、その算出した明度と確率情報とを画像判定部７へ出力する（Ｓ２１０）。この明度の算出は、図５のＳ１１０に示す方法で行うことができる。
【００７８】
画像判定部７は、確率情報が所定の確率より大きいか、または算出した明度が所定明度より暗いか否かを判定する。これは、例えばデジタルカメラ１５側で手ぶれの補正を行ったが、補正できなかった確率が低い状態で画像データが作成されていても、暗い状況下で撮影された画像データにはノイズは発生している可能性がある。
【００７９】
従って、画像判定部７により、確率情報が所定の確率より大きいか、または算出した明度が所定明度より暗いか否かを判定することで、デジタルカメラ１５側での判定だけでなく、プリンタ装置１側で判定することで、手ぶれ以外にノイズを含んでいるか否かを判定することができる（Ｓ２２０）。
【００８０】
Ｓ２２０にて、確率情報が所定の確率より大きいか、または算出した明度が所定明度より暗い場合には、画像補正部８による画像データのノイズ除去の補正を実施する（Ｓ２３０）。
【００８１】
ここで、画像データの補正について図７および図８に基づいて詳細に説明する。まずは、メディアンフィルタによるノイズの除去の補正について図７に基づいて説明する。図７は、本発明の実施の形態に係るプリンタ装置が、画像データをメディアンフィルタによりノイズ除去の補正を行うときの動作を説明する図である。
【００８２】
図７に示すように、画像補正部８は、画像データにおいて、注目画素を中心した３×３領域を設定する。そして３×３領域の各画素において中央値を抽出する。つまり画素９個とした場合には、５番目に大きい値の画素を抽出することになるので、左下の画素の値「３５」となる。
【００８３】
次に、画像補正部８は、中央値「３５」が抽出できたことで、注目画素の値「８０」を「３５」に変更する。そして、画像補正部８は、注目画素を縦方向または横方向に順次１画素ごとにずらしながら全画素に対して行うことで、画像データのノイズ除去の補正を行う。
【００８４】
次に、加重平均フィルタによりノイズ除去の補正について図８に基づいて説明する。図８は、本発明の実施の形態に係るプリンタ装置が、画像データを加重平均フィルタによりノイズ除去の補正を行うときの動作を説明する図である。
【００８５】
加重平均フィルタは、その加重平均する領域を、注目画素を中心した３×３領域としたときに、各画素値は、（数１）で表すことができる。
【００８６】
【数１】
2007083475.tif 000003
【００８７】
そして、それぞれの画素に重み係数を（数２）とすると、加重平均フィルタによる補正は、（数３）で示すことができる。
【００８８】
【数２】
2007083475.tif 000004
【００８９】
【数３】
2007083475.tif 000005
【００９０】
例えば、図８に示すように、画像補正部８は、画像データにおいて、注目画素を中心した３×３領域を設定して、それぞれ画素値に重み係数を乗じて、その和を算出する。
【００９１】
つまり、左上から右下へ順に算出すると、注目画素の補正された画素値＝１０×（１／１６）＋２０×（２／１６）＋３０×（１／１６）＋２５×（２／１６）＋８０×（４／１６）＋４０×（２／１６）＋３５×（１／１６）＋４５×（２／１６）＋５０×（１／１６）≒４４となる。
【００９２】
従って、画像補正部８は、中央の注目した画素の画素値を、「８０」から「４４」へ置き換え、そして同様に注目画素を縦方向または横方向に順次１画素ごとにずらしながら全画素に対して行うことで、画像データの補正を行うことができる。
【００９３】
このように、加重平均フィルタでは、各画素値を読み込み、重み係数を乗じた後に、それぞれのをとることで補正する値を算出することができるので、メディアンフィルタのように、各画素値を読み込み中央値を算出するために、各画素値を比較したり、並び替えたりする必要がないので、高速に処理することが可能である。
【００９４】
本実施の形態では、メディアンフィルタと加重平均フィルタにより画像データの補正を行ったが、移動平均法など他の方法で補正を行ってもよい。
【００９５】
図６に戻って、Ｓ２３０にて補正を行った画像データは、画像印刷部９により印刷される（Ｓ２４０）。
【００９６】
このように、デジタルカメラ１５に手ぶれの補正機能を有していても、画像情報に基づいて画像データの明度を算出し、算出結果に応じて画像データのノイズ除去の補正を行うことで、改善された品質で画像データを印刷することができる。
【００９７】
なお、図６に示す本実施の形態では、Ｓ２３０での画像データの補正としてノイズ除去を実施したが、手ぶれが発生している場合には、被写体の輪郭がぼやけた状態となっていることが多いので、輪郭を強調する補正を行ってもよい。
【００９８】
この輪郭を強調する補正は、加重平均フィルタで行うことができる。輪郭を強調する補正について、図９に基づいて説明する。図９は、本発明の実施の形態に係るプリンタ装置が、画像データを加重平均フィルタにより輪郭強調の補正を行うときの動作を説明する図である。
【００９９】
図９の上段に示す画素値、および中段に示す重み係数とすると、画素値に重み係数をそれぞれ乗じてその和を算出することで輪郭強調の補正を行うことができる。つまり、注目画素の補正された画素値＝１０×（−１／４）＋２０×（−２／４）＋３０×（−１／４）＋２５×（−２／４）＋８０×（１６／４）＋４０×（−２／４）＋３５×（−１／４）＋４５×（−２／４）＋５０×（−１／４）≒２２３
となる。
【０１００】
中央の注目画素を画素値「２２３」へ置き換え、そして同様に注目画素を縦方向または横方向に順次１画素ごとにずらしながら全画素に対して行うことで、画像データの補正を行うことができる。
【０１０１】
以上のように、本実施の形態に係るプリンタ装置は、画像情報に基づいて事前に利用者へ印刷するか否かの判断をさせることで、紙媒体やインクを無駄に消耗することを防止できる。また、絞り情報や、シャッタースピード情報や、感度情報から手ぶれ発生の有無を判断しているので、手ぶれ情報のような情報を画像情報として作成する機能を有していないデジタルカメラ１５で撮影した画像データでも、手ぶれの可能性があることを判断することができる。
【産業上の利用可能性】
【０１０２】
本発明は、手ぶれ検出機能を有していないデジタルカメラで撮影された画像データであっても、印刷するときに、利用者に手ぶれの警告を発することを可能とすることで、利便性を高くすることができるので、デジタルカメラで撮影された画像データを印刷するプリンタ装置およびプリンタ装置の画像品質判定方法に好適である。
【図面の簡単な説明】
【０１０３】
【図１】本発明の実施の形態に係るプリンタ装置を説明する構成図
【図２】画像ファイルの内容を説明する図
【図３】デジタルカメラが画像ファイルを生成する際の動作を説明するフローチャート
【図４】デジタルカメラが行う手ぶれ補正を説明する図
【図５】本発明の実施の形態に係るプリンタ装置が、絞り情報、シャッタースピード情報、および感度情報に基づいて判定するときの動作を説明するフローチャート
【図６】本発明の実施の形態に係るプリンタ装置が、画像情報に基づいて判定するとともに、画像データの補正を行うときの動作を説明するフローチャート
【図７】本発明の実施の形態に係るプリンタ装置が、画像データをメディアンフィルタによりノイズ除去の補正を行うときの動作を説明する図
【図８】本発明の実施の形態に係るプリンタ装置が、画像データを加重平均フィルタによりノイズ除去の補正を行うときの動作を説明する図
【図９】本発明の実施の形態に係るプリンタ装置が、画像データを加重平均フィルタにより輪郭強調の補正を行うときの動作を説明する図
【符号の説明】
【０１０４】
１    プリンタ装置
２    操作部
３    表示部
４    画像ファイル入力部
５    メモリ部
６    画像解析部
７    画像判定部
８    画像補正部
９    画像印刷部
【図１】
2007083475.tif 000006
【図２】
2007083475.tif 000007
【図３】
2007083475.tif 000008
【図４】
2007083475.tif 000009
【図５】
2007083475.tif 000010
【図６】
2007083475.tif 000011
【図７】
2007083475.tif 000012
【図８】
2007083475.tif 000013
【図９】
2007083475.tif 000014